(57)【要約】【課題】  良好な外観の熱可塑性樹脂成形体を成形することができる熱可塑性樹脂成形用金型及び熱可塑性樹脂成形体の製造方法を提供すること。【解決手段】  本発明に係る熱可塑性樹脂成形用金型１は、第１の金型２及び第１の金型２との間にキャビティ４を形成する第２の金型３を備える熱可塑性樹脂成形用金型であって、少なくとも一方の金型は、キャビティ４を形成するキャビティ面６ａを有する金属板６と、金属板６におけるキャビティ面６ａに対して裏面６ｂ側に、互いに離間して配置される複数の温度調節管７と、温度調節管７を裏面６ｂに固定させる金属部材と、を有し、金属部材は、互いに隣接する複数の温度調節管７の間にわたって裏面６ｂに接合されるものである。【選択図】  図１
2008246776.tif 000002
【特許請求の範囲】
【請求項１】
第１の金型及び前記第１の金型との間にキャビティを形成する第２の金型を備える熱可塑性樹脂成形用金型であって、
少なくとも一方の金型は、前記キャビティを形成するキャビティ面を有する金属板と、前記金属板における前記キャビティ面に対して裏面側に、互いに離間して配置される複数の温度調節管と、前記温度調節管を前記裏面に固定させる金属部材と、を有し、
前記金属部材は、互いに隣接する複数の前記温度調節管の間にわたって前記裏面に接合される熱可塑性樹脂成形用金型。
【請求項２】
前記温度調節管は、前記金属板の前記裏面に沿う方向の外径が前記裏面に沿う方向に交わる方向の外径よりも大きい断面形状を有する請求項１記載の熱可塑性樹脂成形用金型。
【請求項３】
前記金属板の前記裏面側に、前記裏面及び前記温度調節管を覆うように断熱部材が設けられる請求項１又は２記載の熱可塑性樹脂成形用金型。
【請求項４】
前記金属板は、電鋳により形成されてなる請求項１〜３のいずれか１項記載の熱可塑性樹脂成形用金型。
【請求項５】
第１の金型及び前記第１の金型との間にキャビティを形成する第２の金型のうち、少なくとも一方の金型における前記キャビティを形成するキャビティ面を加熱手段により加熱する加熱工程と、
前記キャビティ内に溶融状熱可塑性樹脂を供給する供給工程と、
供給された前記溶融状熱可塑性樹脂を冷却する冷却工程と、を備え、
前記少なくとも一方の金型は、前記キャビティ面を形成する金属板と、前記金属板における前記キャビティ面に対して裏面側に、互いに離間して配置される複数の温度調節管と、前記温度調節管を前記裏面に固定させる金属部材と、を有し、
前記金属部材は、互いに隣接する複数の前記温度調節管の間にわたって前記裏面に接合される、熱可塑性樹脂成形体の製造方法。
【請求項６】
前記温度調節管は、前記金属板の前記裏面に沿う方向の外径が前記裏面に沿う方向に交わる方向の外径よりも大きい断面形状を有する請求項５記載の熱可塑性樹脂成形体の製造方法。
【請求項７】
前記金属板の前記裏面側に、前記裏面及び前記温度調節管を覆うように断熱部材が設けられる請求項５又は６記載の熱可塑性樹脂成形体の製造方法。
【請求項８】
前記金属板は、電鋳により形成されてなる請求項５〜７のいずれか１項記載の熱可塑性樹脂成形体の製造方法。
【請求項９】
前記加熱手段は、前記金型の外部に配置される請求項５〜８のいずれか１項記載の熱可塑性樹脂成形体の製造方法。
【請求項１０】
前記加熱手段は、高周波誘導加熱をすることのできる加熱コイルである請求項９記載の熱可塑性樹脂成形体の製造方法。
【請求項１１】
前記加熱工程において、前記キャビティ面の一部を部分的に加熱する請求項５〜１０のいずれか１項記載の熱可塑性樹脂成形体の製造方法。
【請求項１２】
前記供給工程において、前記キャビティ内に前記溶融状熱可塑性樹脂の供給を開始するときにおける前記キャビティ面の温度は、前記熱可塑性樹脂の荷重たわみ温度以上である請求項５〜１１のいずれか１項記載の熱可塑性樹脂成形体の製造方法。
【請求項１３】
前記供給工程において、前記溶融状熱可塑性樹脂を供給しながら前記第１の金型及び前記第２の金型を型締めする請求項５〜１２のいずれか１項記載の熱可塑性樹脂成形体の製造方法。
【発明の詳細な説明】
【技術分野】
【０００１】
本発明は、熱可塑性樹脂成形用金型及び熱可塑性樹脂成形体の製造方法に関する。
【背景技術】
【０００２】
熱可塑性樹脂成形体は、経済性、軽量性、賦形性等が良好であることから、自動車の内装部品や外装部品、家電製品、住設関連製品等の広い分野で使用されている。このような熱可塑性樹脂成形体は、射出成形や圧縮成形等の成形方法により製造できるが、開口部があるような複雑な形状の成形体を製造する場合や、複数の樹脂供給ゲートを有する金型を使用する場合には、得られる成形体にウエルド等の外観不良が発生することがある。
【０００３】
このような外観不良を抑制するための成形装置として、金型内にキャビティ面を加熱又は冷却するための複数の熱媒体通路が、キャビティ面を構成する熱伝導層の裏面に設けられた射出成形装置が知られている（例えば、特許文献１参照）。
【特許文献１】特開平６−２１８７８４号公報
【発明の開示】
【発明が解決しようとする課題】
【０００４】
しかしながら、上記特許文献１に記載された射出成形装置においては、熱伝導層に対して熱媒体通路が接触している部分と接触していない部分とでキャビティ面に温度差が現れ、光沢ムラ等の外観不良が発生しやすくなる。
【０００５】
そこで、本発明は、このような事情に鑑みてなされたものであり、良好な外観の熱可塑性樹脂成形体を成形することができる熱可塑性樹脂成形用金型及び熱可塑性樹脂成形体の製造方法を提供することを目的とする。
【課題を解決するための手段】
【０００６】
上記目的を達成するために、本発明に係る熱可塑性樹脂成形用金型は、第１の金型及び第１の金型との間にキャビティを形成する第２の金型を備える熱可塑性樹脂成形用金型であって、少なくとも一方の金型は、キャビティを形成するキャビティ面を有する金属板と、金属板におけるキャビティ面に対して裏面側に、互いに離間して配置される複数の温度調節管と、温度調節管を裏面に固定させる金属部材と、を有し、金属部材は、互いに隣接する複数の温度調節管の間にわたって裏面に接合されるものである。
【０００７】
本発明に係る熱可塑性樹脂成形用金型によれば、少なくとも一方の金型には、金属板の裏面側に、互いに離間して配置される複数の温度調節管が、金属部材によって固定される。そして、この金属部材は、互いに隣接する複数の温度調節管の間にわたって裏面に接合される。このため、温度調節管と金属板との熱的な接触面積が大きくなり、キャビティ面を均一に加熱又は冷却することができる。したがって、良好な外観の熱可塑性樹脂成形体を成形することができる。
【０００８】
ここで、本発明に係る熱可塑性樹脂成形用金型は、温度調節管が、金属板の裏面に沿う方向の外径が裏面に沿う方向に交わる方向の外径よりも大きい断面形状を有することが好ましい。温度調節管と金属板の裏面との接触面積がより大きくなり伝熱効率を向上させることができる。
【０００９】
また、本発明に係る熱可塑性樹脂成形用金型は、金属板の裏面側に、裏面及び温度調節管を覆うように断熱部材が設けられることが好ましい。温度調節管と金属板との伝熱効率を更に向上させることができる。
【００１０】
また、本発明に係る熱可塑性樹脂成形用金型は、金属板が、電鋳により形成されてなることが好ましい。キャビティ面を細かな凹凸形状とすることができるので、様々な模様の意匠面の熱可塑性樹脂成形体を製造することができる。
【００１１】
上記目的を達成するために、本発明に係る熱可塑性樹脂成形体の製造方法は、第１の金型及び第１の金型との間にキャビティを形成する第２の金型のうち、少なくとも一方の金型におけるキャビティを形成するキャビティ面を加熱手段により加熱する加熱工程と、キャビティ内に溶融状熱可塑性樹脂を供給する供給工程と、供給された溶融状熱可塑性樹脂を冷却する冷却工程と、を備え、少なくとも一方の金型は、キャビティ面を形成する金属板と、金属板におけるキャビティ面に対して裏面側に、互いに離間して配置される温度調節管と、温度調節管を裏面に固定させる金属部材と、を有し、金属部材は、互いに隣接する複数の温度調節管の間にわたって裏面に接合されるものである。
【００１２】
本発明に係る熱可塑性樹脂成形体の製造方法によれば、キャビティ面が加熱された金型で形成されるキャビティ内に溶融状熱可塑性樹脂を供給する。このため、成形体にウエルド等の外観不良が発生しにくくなる。加えて、加熱される金型には、金属板の裏面側に、互いに離間して配置され、溶融状熱可塑性樹脂を冷却する複数の温度調節管が、金属部材によって固定される。そして、この金属部材は、互いに隣接する複数の温度調節管の間にわたって裏面に接合される。このため、温度調節管と金属板との熱的な接触面積が大きくなり、キャビティ面を均一に加熱又は冷却することができる。この結果、光沢ムラ等の発生を抑制することができる、したがって、良好な外観の熱可塑性樹脂成形体を成形することができる。
【００１３】
ここで、本発明に係る熱可塑性樹脂成形体の製造方法は、温度調節管が、金属板の裏面に沿う方向の外径が裏面に沿う方向に交わる方向の外径よりも大きい断面形状を有することが好ましい。温度調節管と金属板の裏面との接触面積がより大きくなり伝熱効率を向上させることができる。
【００１４】
また、本発明に係る熱可塑性樹脂成形体の製造方法は、金属板の裏面側に、裏面及び温度調節管を覆うように断熱部材が設けられることが好ましい。温度調節管と金属板との伝熱効率を更に向上させることができる。
【００１５】
また、本発明に係る熱可塑性樹脂成形体の製造方法は、金属板が、電鋳により形成されてなることが好ましい。キャビティ面を細かな凹凸形状とすることができるので、様々な模様の意匠面の熱可塑性樹脂成形体を製造することができる。
【００１６】
また、本発明に係る熱可塑性樹脂成形体の製造方法は、加熱手段が、金型の外部に配置されることが好ましい。これにより、所望の位置を容易に加熱することができる。
【００１７】
また、本発明に係る熱可塑性樹脂成形体の製造方法は、加熱手段が、高周波誘導加熱をすることのできる加熱コイルであることが好ましい。これにより、キャビティ面をより一層効果的に加熱することがでる。
【００１８】
また、本発明に係る熱可塑性樹脂成形体の製造方法は、加熱工程において、キャビティ面の一部を部分的に加熱することが好ましい。これにより、ウエルド等の外観不良が発生しやすい部分を効果的に加熱することができる。
【００１９】
また、本発明に係る熱可塑性樹脂成形体の製造方法は、供給工程において、キャビティ内に溶融状熱可塑性樹脂の供給を開始するときにおけるキャビティ面の温度が、熱可塑性樹脂の荷重たわみ温度以上であることが好ましい。これにより、より一層良好な外観の熱可塑性樹脂成形体を得ることができる。
【００２０】
また、本発明に係る熱可塑性樹脂成形体の製造方法は、供給工程において、溶融状熱可塑性樹脂を供給しながら第１の金型及び第２の金型を型締めすることが好ましい。これにより、射出圧力や型締め圧力を低圧化することができ、装置の小型化や品質の優れた成形体を得ることができる。
【発明の効果】
【００２１】
本発明によれば、良好な外観の熱可塑性樹脂成形体を成形することができる熱可塑性樹脂成形用金型及び熱可塑性樹脂成形体の製造方法を提供することができる。
【発明を実施するための最良の形態】
【００２２】
本発明の知見は、例示のみのために示された添付図面を参照して以下の詳細な記述を考慮することによって容易に理解することができる。引き続いて、添付図面を参照しながら本発明の好適な実施形態について説明する。可能な場合には、同一の部分には同一の符号を付して、重複する説明を省略する。
【００２３】
まず、本発明に係る熱可塑性樹脂成形用金型の好適な実施形態について説明する。図１に示されるように、熱可塑性樹脂成形用金型（以下、「金型」とする）１は、雌型（第１の金型）２及び雄型（第２の金型）３の雌雄一対からなり、雌型２及び雄型３を閉じた状態で、その内部にキャビティ４が形成される。
【００２４】
雌型２は、断面凹形状をなし、キャビティ４側には金属板６が設けられている。金属板６は、厚さが２〜６ｍｍ程度であり、例えば鋼やＳＵＳ等の他、アルミ合金、亜鉛合金、ニッケル、ニッケル合金、銅、銅合金等の金属が用いられている。金属板６におけるキャビティ４を形成する面（以下、「キャビティ面」とする）６ａは、成形される熱可塑性樹脂成形体の意匠面の模様に対応するような凹凸形状に形成されている。なお、金属板６は種々の公知の手法を用いて形成され得るが、電鋳法により形成されることが好ましい。電鋳法は製品意匠面の形状を忠実に再現でき、様々な模様の意匠面の熱可塑性樹脂成形体を製造することができるからである。
【００２５】
金属板６におけるキャビティ面６ａに対する裏面６ｂには、キャビティ面６ａの温度を調節するための複数の温度調節管７が配設されている。温度調節管７は、例えば銅等からなる円筒状の金属管であり、熱媒体供給装置又は冷却媒供給装置（共に図示せず）に接続されることで、内部に液体又は気体からなる媒体を流動させて、キャビティ面６ａを加熱又は冷却させることができる。
【００２６】
図２に示されるように、温度調節管７は、金属板６の裏面６ｂに金属部材８を用いて溶接、ロウ付等により固定されている。この金属部材８は、温度調節管７と金属板６との伝熱効率を上げるために、例えば、銀、銅等の熱伝導性の高い材料からなることが好ましい。
【００２７】
また、金属部材８は、固定させる温度調節管７１からこれに隣接する他の温度調節管７２にわたって裏面６ｂに接合されている。互いに隣接する各温度調節管７１，７２の間にわたって、金属部材８が裏面６ｂに接触されていることから、温度調節管７１，７２と金属板６との熱的な接触面積が大きくなり、キャビティ面６ａを均一に加熱又は冷却することができる。
【００２８】
また、互いに隣接する複数の温度調節管７の間隔（一の温度調節管と、これに隣接する温度調節管との互いに対向する各側端の距離Ｗ）は、温度調節管７の外径Ｄ１（温度調節管７の裏面６ｂに沿う方向の外径）に対して５倍以下であることが好ましい。これにより、裏面６ｂと温度調節管７との接触面積が大きくなり、金属板６を均一に加熱又は冷却させることができる。
【００２９】
さらに、図３に示されるように、温度調節管７、金属部材８及び裏面６ｂを裏面６ｂ側から覆うように、金属被覆部材９を設けてもよい。ここで金属被覆部材９は、金属の薄板、多数の網目が形成された金網、多数の貫通孔が形成された金属板等を用いることができる。この金属被覆部材９を設けることで、キャビティ面６ａをより一層均一に加熱又は冷却することができる。
【００３０】
また、温度調節管７の断面形状は、図２に示される円形状に制限されるものではない。すなわち、温度調節管７は、金属板６の裏面６ｂに沿う方向の外径が裏面６ｂに沿う方向に交わる方向の外径よりも大きい断面形状を有することが好ましい。例えば、図４に示されるように、裏面６ｂに沿う方向に交わる方向の外径をＤ２としたとき、温度調節管７は、Ｄ１／Ｄ２が１よりも大きい断面矩形状とすることが好ましく、Ｄ１／Ｄ２が１．５以上の断面形状とすることが特に好ましい。このような断面形状とすることで、温度調節管７と裏面６ｂとの接触面積が大きくなり伝熱効率を向上させることができる。なお、断面形状は、矩形状に限らず楕円形状や三角形状等であってもよい。
【００３１】
なお、温度調節管７は、２系統以上の複数の回路に分離して、別々に制御するように構成してもよい。
【００３２】
図１に戻って、雌型２には、裏面６ｂ及び温度調節管７を覆うように断熱部材１１が設けられている。この断熱部材１１は、例えば熱伝導性の低いエポキシ樹脂等の熱硬化性樹脂材料、セメント等のセラミックス等からなり、雌型２の加熱時においては、加熱手段からの熱が、雌型２全体に伝熱することを抑制し、効率的に金属板６（キャビティ面６ａ）を加熱させることができる。また、冷却時においては、金属板６からの熱を効率的に温度調節管７に向けて伝熱等させることができ、効率的に金属板６（キャビティ面６ａ）を冷却させることができる。
【００３３】
また、雌型２には、この断熱部材１１を外側から覆うように枠部材１２が設けられている。この枠部材１２は、金属板６、温度調節管７及び断熱部材１１を保持するものであり、その材質は、金属板６、温度調節管７及び断熱部材１１を保持できれば特に制限されない。
【００３４】
雄型３は、断面凸形状をなし、そのキャビティ面３ａには、溶融状熱可塑性樹脂をキャビティ４内に供給するための２つの樹脂供給ゲート１３，１４が設けられている。なお、樹脂供給ゲートは１つでもよく、３つ以上設けてもよい。この樹脂供給ゲート１３，１４は、雄型３に形成された樹脂供給通路１５に連通している。また、樹脂供給通路１５には、熱可塑性樹脂を溶融し所定量だけ射出することのできる射出装置（図示せず）の射出ノズルが接続されることで、キャビティ内に溶融状熱可塑性樹脂を供給することができる。さらに、雄型３には、キャビティ面３ａを加熱又は冷却するための複数の温度調節通路１６が形成されている。
【００３５】
なお、雄型３にもキャビティ側に金属板６を設け、金属板６におけるキャビティ面３ａの裏面側に温度調節管を配設し、さらに断熱部材を設けてもよい。
【００３６】
以上の雌型２及び雄型３からなる一対の金型１は、雄型３をプレス装置（図示せず）の固定盤に固定し、雌型２を可動盤に固定し、駆動装置により可動盤を固定盤の方向に移動することで型締めをすることができる。なお、雌型２を固定盤に固定し、雄型３を可動盤に固定してもよく、また、固定盤を可動盤に変更して、雌型２及び雄型３を双方とも可動できるようにしてもよい。
【００３７】
続いて、図５〜８を参照して本発明に係る製造方法の好適な実施形態について説明する。まず、熱可塑性樹脂を射出装置に投入して熱可塑性樹脂成形体の基材となる溶融状熱可塑性樹脂を用意する。
【００３８】
ここで、熱可塑性樹脂としては、圧縮成形、射出成形、押出成形等で通常使用される熱可塑性樹脂がそのまま適用される。このような樹脂としては、例えば、ポリプロピレン、ポリエチレン、アクリロニトリル−スチレン−ブタジエンブロック共重合体、ポリスチレン、ナイロン等のポリアミド、ポリ塩化ビニル、ポリカーボネート、アクリル樹脂、スチレン−ブタジエンブロック共重合体等の一般的な熱可塑性樹脂、ＥＰＭ、ＥＰＤＭ等の熱可塑性エラストマー、これらの混合物、これらを用いたポリマーアロイ等が挙げられる。
【００３９】
また、これらの熱可塑性樹脂には、必要に応じて通常使用されるガラス繊維、各種の無機、有機フィラー等の充填材等が含有されてもよい。また、通常使用される各種の顔料、滑材、帯電防止剤、安定剤等の各種添加材が含有されてもよい。
【００４０】
また、上記熱可塑性樹脂は、非発泡性であっても発泡性であってもく、発泡剤を含有してもよい。発泡剤としては、化学発泡剤を添加してもよく、液状又はガス状の二酸化炭素や窒素を直接溶融状樹脂中に圧入してもよい。
【００４１】
化学発泡剤としては、熱可塑性樹脂の発泡体を製造する際に使用される公知の化学発泡剤を使用することができる。具体的には、重炭酸ナトリウム、重炭酸アンモニウム、炭酸アンモニウム等の無機系発泡剤、Ｎ，Ｎ’−ジニトロソペンタメチレンテトラミン等のニトロソ化合物、アゾジカルボンアミド、アゾビスイソブチロニトリル等のアゾ化合物、ベンゼンスルホニルヒドラジド、トルエンスルホニルヒドラジド、ジフェニルスルホン−３，３’−ジスルホニルヒドラジド等のスルホニルヒドラジド類、ｐ−トルエンスルホニルセミカルバジド等の発泡剤を使用することができる。さらに、必要に応じてサリチル酸、尿素又はこれらを含む発泡助剤を添加することが好ましい。
【００４２】
なお、上記の発泡剤の種類は、使用する熱可塑性樹脂の溶融温度や目的とする発泡倍率等を考慮して適宜選択される。またその添加量は、目的とする成形品の強度、密度等を考慮して調整されるが、一般的に樹脂１００重量部に対して０．１〜５重量部程度である。
【００４３】
＜加熱工程＞
次に、図５の（ａ）に示されるように、図１に示される金型１を使用して、雌型２を上方に移動させ雌型２及び雄型３を開き、その間に、加熱手段として高周波電磁誘導加熱が可能な加熱コイル１７を搬送装置１８を用いて外部から挿入する。そして、図５の（ｂ）に示されるように、加熱コイル１７を雌型２のキャビティ面６ａに近づくように移動させて、高周波電磁誘導により雌型２のキャビティ面６ａを加熱する。ここで、加熱は、キャビティ面６ａの全面に対して行ってもよく、一部に対して部分的に行ってもよいが、成形サイクルの短縮化、コストの観点から部分的な加熱が好ましい。
【００４４】
キャビティ面６ａの一部を部分的に加熱する場合は、未加熱で成形するとウエルド、シルバーストリーク、フローマーク等の不良が発生しやすい成形体の部位に対応するキャビティ面６ａの部分を加熱することが好ましい。例えば、ウエルドの発生しやすい部位は、キャビティ４内において、溶融状熱可塑性樹脂の２つ以上の流れが合流する部分になる。図１に示される２つの樹脂供給ゲート１３，１４を有する金型１を使用して、図６に示されるような熱可塑性樹脂成形体１９Ａを成形する場合は、各樹脂供給ゲート１３，１４に対応する位置１３ａ，１４ａの中間部Ｌ１付近にウエルドが発生しやすい。このため、キャビティ面６ａにおいて、各樹脂供給ゲート１３，１４の中間部を含んだ領域を加熱することが好ましい。また、図１とは異なる金型（図示せず）を使用して、図７に示されるような開口部２１を有する熱可塑性樹脂成形体１９Ｂを成形する場合は、樹脂供給ゲートから供給された溶融状態の樹脂が開口部を回りこんで合流するために、樹脂供給ゲートに対応する位置１３ｂに対して開口部２１の後方端縁中間部Ｌ２にウエルドが発生しやすい。このため、キャビティ面において、開口部２１の後方端縁中間部Ｌ２に対応する位置を含んだ領域を加熱することが好ましい。
【００４５】
加熱されるキャビティ面６ａの温度は、キャビティ４内に溶融状熱可塑性樹脂を供給する時点において、加熱される前の温度よりも２０℃以上高い温度であることが好ましい。温度が２０℃よりも低いとウエルド等の外観不良が発生しやすくなる傾向がある。また、加熱されるキャビティ面６ａの温度は、供給される熱可塑性樹脂の荷重たわみ温度以上であることが特に好ましい。キャビティ面６ａの温度を熱可塑性樹脂の荷重たわみ温度とすることで、外観不良の発生を効果的に抑制することができる。なお、この荷重たわみ温度は、ＪＩＳ  Ｋ７１９１−２のＢ法に従い測定することができる。
【００４６】
また、キャビティ面６ａの一部を部分的に加熱する場合、加熱されるキャビティ面６ａの温度は、キャビティ４内に溶融状熱可塑性樹脂を供給する時点において、加熱される前の温度よりも２０〜６０℃高い温度であることが好ましい。６０℃よりも高い温度であると、加熱部分と非加熱部分との温度差が大きくなり、成形体の表面に光沢ムラ等の不良が発生しやすくなる傾向がある。また、加熱前における金型温度を予め５０℃以上とすることが好ましく、６０℃以上とすることが特に好ましい。金型温度が５０℃以下であると、成形体の表面の光沢ムラ等の不良が発生しやすくなる傾向がある。
【００４７】
なお、加熱コイル１７は、キャビティ面６ａを均一に加熱するために、加熱コイル１７を形成する銅管をキャビティ面６ａの形状に対応する形状とすることが好ましい。また、この加熱コイル１７を電気ヒータ等の加熱手段に変更することもできる。
【００４８】
＜供給工程＞
続いて、図８の（ａ）に示されるように、加熱された雌型２及び雄型３を閉じてキャビティ４を形成し、これら雌雄一対の金型１で形成するキャビティ４内に、雄型３に形成された樹脂供給通路１５を介して、２つの樹脂供給ゲート１３，１４から溶融状熱可塑性樹脂２２を供給する。なお、各樹脂供給ゲート１３，１４から供給された溶融状熱可塑性樹脂２２はキャビティ４内を流動し、各樹脂供給ゲート１３，１４の中間点付近で合流し、この付近でウエルド等の不良が発生しやすくなる。しかしながら、この合流部付近のキャビティ面６ａは予め加熱コイル１７で加熱されているために、冷却する際に固化する速度が遅くなり、ウエルド等の外観不良の発生を抑制することができる。
【００４９】
そして、溶融状熱可塑性樹脂２２の供給を開始した時点での金型１のキャビティ４は、目的の成形体厚さよりも大きなクリアランスとし、供給開始後にクリアランスが小さくなるように雌型２を下降させる、いわゆる型締めを行う（図８の（ｂ）参照）。型締めを行うことで、射出圧力や型締め圧力を低圧化することができ、装置の小型化や品質の優れた成形体を得ることができる。この型締めを行うタイミングは、溶融状熱可塑性樹脂を供給中又は供給が完了した後のいずれでもよいが、供給完了後に型締めを行う場合には、供給完了後速やかに型締めを開始することが好ましい。なお、図中では縦方向に型締めする例を示しているが、型締め方向は縦方向であっても横方向であってもよい。また、熱可塑性樹脂成形体の用途や形状、大きさ等によっては、キャビティ４のクリアランスは、熱可塑性樹脂成形体の厚さと略同一寸法に調整した状態で溶融状熱可塑性樹脂を供給してもよい。さらに、溶融状熱可塑性樹脂の供給を開始した時点では、目的の成形体厚さよりも小さなクリアランスとし、供給量に応じてクリアランスが大きくなるように雌型２を上昇させてもよい。
【００５０】
＜冷却・成形工程＞
キャビティ内に充填された溶融状熱可塑性樹脂２２を所定時間冷却して固化させる。溶融状熱可塑性樹脂２２の固化は、雌型２内に設けられた温度調節管７内及び雄型３に形成された温度調節通路１６内に冷却媒体を流動させて、キャビティ面６ａ，３ａを冷却することで行う。図８の（ｃ）に示されるように、溶融状熱可塑性樹脂２２が固化されたらプレス装置の可動盤を上昇させて雌型２及び雄型３を開き熱可塑性樹脂成形体２３を取り出す。その後所定の処理を施して製品としての成形体が完成する。
【００５１】
以上の本実施形態に係る熱可塑性樹脂成形体の製造方法は、キャビティ面６ａが加熱された雌型２で形成されるキャビティ４内に溶融状熱可塑性樹脂２２を供給する。このため、熱可塑性樹脂成形体２３にウエルド等の外観不良が発生しにくくなる。加えて、加熱される雌型２には、金属板６の裏面６ｂ側に、互いに離間して配置され、溶融状熱可塑性樹脂２２を冷却する複数の温度調節管７が、金属部材８によって固定される。そして、この金属部材８は、互いに隣接する複数の温度調節管７の間にわたって裏面６ｂに接合される。このため、温度調節管７と金属板６との熱的な接触面積が大きくなり、キャビティ面６ａを均一に冷却することができる。この結果、光沢ムラ等の発生を抑制することができる、したがって、良好な外観の熱可塑性樹脂成形体を成形することができる。
【００５２】
また、本実施形態に係る熱可塑性樹脂成形体の製造方法は、加熱手段が、金型の外部に配置される。このため、キャビティ面６ａにおける所望の位置を容易に加熱することができる。さらに、加熱手段が、高周波誘導加熱をすることのできる加熱コイルである。このため、キャビティ面６ａをより一層効果的に加熱することがでる。
【００５３】
なお、外部に配置した加熱手段に代えて、温度調節管７を用いて金属板６を加熱してもよい。この場合、加熱するときは、温度調節管７内に熱媒体を流動させる。そして、冷却するときは、熱媒体の代わりに温度調節管７内に冷却媒体を流動させる。このような金型の加熱においても、加熱される雌型２には、金属板６の裏面６ｂ側に、互いに離間して配置され、溶融状熱可塑性樹脂２２を冷却する複数の温度調節管７が、金属部材８によって固定される。そして、この金属部材８は、互いに隣接する複数の温度調節管７の間にわたって裏面６ｂに接合される。このため、温度調節管７と金属板６との熱的な接触面積が大きくなり、キャビティ面６ａを均一に加熱することができると共に、均一に冷却することができる。この結果、光沢ムラ等の発生を抑制することができる、したがって、良好な外観の熱可塑性樹脂成形体を成形することができる。
【００５４】
以上、本発明の好適な実施形態について詳細に説明したが、本発明は上記実施形態に限定されるものではない。
【図面の簡単な説明】
【００５５】
【図１】本発明の実施形態に係る熱可塑性樹脂成形用金型を示す断面図である。
【図２】図１に示した熱可塑性樹脂成形用金型の温度調節管と金属板との接合形態を示す断面図である。
【図３】温度調節管と金属板との他の接合形態を示す部分断面図である。
【図４】温度調節管と金属板との他の接合形態を示す部分断面図である。
【図５】本発明の実施形態に係る熱可塑性樹脂成形体の製造方法の製造工程の一部を示す図である。
【図６】熱可塑性樹脂成形体における外観不良の発生箇所の一例を示す外観斜視図である。
【図７】熱可塑性樹脂成形体における外観不良の発生箇所の一例を示す外観斜視図である。
【図８】本発明の実施形態に係る熱可塑性樹脂成形体の製造方法の製造工程の一部を示す図である。
【符号の説明】
【００５６】
１…熱可塑性樹脂成形用金型、２…雌型、３…雄型、４…キャビティ、６…金属板、６ａ…キャビティ面、６ｂ…裏面、７…温度調節管、８金属部材、１１…断熱部材、１７…加熱コイル、２２…溶融状熱可塑性樹脂、２３…熱可塑性樹脂成形体。
【図１】
2008246776.tif 000003
【図２】
2008246776.tif 000004
【図３】
2008246776.tif 000005
【図４】
2008246776.tif 000006
【図５】
2008246776.tif 000007
【図６】
2008246776.tif 000008
【図７】
2008246776.tif 000009
【図８】
2008246776.tif 000010